(57)【特許請求の範囲】
【請求項１】
少なくともコンクリート路盤と、軌道スラブとの間に、充填層が挟まれるようにして設けられ、さらに前記軌道スラブ上に軌道レールが配設されて成るスラブ式軌道の補修構造であって、
前記スラブ式軌道の補修構造は、
前記充填層の外周縁部の少なくとも一部に、埋め込み型枠を備えており、
前記埋め込み型枠内または埋め込み型枠よりも内方の領域内の少なくともいずれか一方には、補修用充填材を内包してなることを特徴とするスラブ式軌道の補修構造。
【請求項２】
前記埋め込み型枠が、
前記軌道スラブとコンクリート路盤との間に固着されて成ることを特徴とする請求項１に記載のスラブ式軌道の補修構造。
【請求項３】
前記埋め込み型枠が、伸縮性を有することを特徴とする請求項１または２に記載のスラブ式軌道の補修構造。
【請求項４】
前記埋め込み型枠が、
発泡成形体，繊維をバインダーで固めた成形体，コルク，軟質プラスチック成形体からなる成形体のいずれかであることを特徴とする請求項１〜３のいずれか１項に記載のスラブ式軌道の補修構造。
【請求項５】
前記発泡成形体が、発泡ポリウレタンからなることを特徴とする請求項４に記載のスラブ式軌道の補修構造。
【請求項６】
前記発泡成形体が、連続気泡型発泡体であることを特徴とする請求項４または５に記載のスラブ式軌道の補修構造。
【請求項７】
前記埋め込み型枠，前記軌道スラブ，前記埋め込み型枠と軌道スラブとの間の少なくともいずれかには、
前記埋め込み型枠より内方の空間内に連通するエア抜き孔を有することを特徴とする請求項１〜６のいずれか１項に記載のスラブ式軌道の補修構造。
【請求項８】
前記補修用充填材が、合成樹脂を含有することを特徴とする請求項１〜７のいずれか１項に記載のスラブ式軌道の補修構造。
【請求項９】
前記補修用充填材が、多成分型であることを特徴とする請求項１〜８のいずれか１項に記載のスラブ式軌道の補修構造。
【請求項１０】
前記充填層が、セメントアスファルトモルタルから成ることを特徴とする請求項１〜９のいずれか１項に記載のスラブ式軌道の補修構造。
【請求項１１】
前記充填層が、セメントアスファルトモルタルおよび補修材から成ることを特徴とする請求項１〜９のいずれか１項に記載のスラブ式軌道の補修構造。
【請求項１２】
前記埋め込み型枠が、その外周側面にバリア層を有することを特徴とする請求項１〜１１のいずれか１項に記載のスラブ式軌道の補修構造。
【請求項１３】
請求項１〜１２のいずれか１項に記載のスラブ式軌道の補修構造に用いられることを特徴とする埋め込み型枠。
【請求項１４】
少なくともコンクリート路盤上に充填層を介して軌道スラブが設けられ、さらに前記軌道スラブ上に軌道レールを配設して成るスラブ式軌道の補修方法であって、
前記スラブ式軌道の補修方法は、
前記充填層の劣化した部分を、露出された外周縁部から内方の所定深さまで除去し、前記軌道スラブとコンクリート路盤との間に空隙部を形成する工程と、
前記軌道スラブとコンクリート路盤との間に形成された空隙部の外周縁部の少なくとも一部内に、埋め込み型枠を配置する工程と、
前記空隙部の外周縁部の少なくとも一部内に配置された埋め込み型枠内または前記空隙部の外周縁部の少なくとも一部内に配置された埋め込み型枠によって前記空隙部内に区画された前記埋め込み型枠より内方の空間内の少なくともいずれか一方に、補修用充填材を注入する工程と、
前記注入された補修用充填材を硬化させる工程と、
を少なくとも有することを特徴とするスラブ式軌道の補修方法。
【請求項１５】
前記空隙部を形成する工程の後、
前記空隙部内を乾燥させる工程を有することを特徴とする請求項１４に記載のスラブ式軌道の補修方法。
【請求項１６】
前記補修用充填材を注入する工程において、
前記埋め込み型枠，埋め込み型枠と軌道スラブとの間，埋め込み型枠とコンクリート路盤との間，軌道スラブ，コンクリート路盤，埋め込み型枠と埋め込み型枠との間，埋め込み型枠と充填層との間からなる群より選ばれる少なくとも１か所に設けられた注入孔を介して前記補修用充填材が注入されることを特徴とする請求項１４または１５に記載のスラブ式軌道の補修方法。
【発明の詳細な説明】
【技術分野】
【０００１】
本発明は、コンクリート路盤と、軌道スラブとの間に、充填層が挟まれるようにして設けられ、さらに軌道スラブ上に軌道レールが配設されて成るスラブ式軌道の補修構造およびスラブ式軌道の補修方法に関するものである。
【背景技術】
【０００２】
従来より、コンクリート路盤上に軌道スラブを設け、さらにこの軌道スラブ上に軌道レールを固定して成るスラブ式軌道が知られている。
【０００３】
このようなスラブ式軌道１０は、図１に示したように、コンクリート路盤２０の上面に、充填層２２を介して軌道スラブ２４が設けられ、さらに軌道スラブ２４の上面には、一対の軌道レール３４，３４が配設されている。なお軌道スラブ２４は両端部に切欠き部２６，２６を備え、コンクリート路盤２０上に所定間隔置きに設けられた凸部２８と凸部２８に対し、軌道スラブ２４の切欠き部２６と切欠き部２６が位置合わせされている。
【０００４】
充填層２２は、軌道スラブ２４をコンクリート路盤２０上の所定位置に持ち上げておき、この軌道スラブ２４とコンクリート路盤２０との間に生じた隙間内に、軌道スラブ２４に予め形成しておいた充填孔（図示せず）を介して充填材（例えばセメントアスファルトモルタル：セメントとアスファルト乳剤と細骨材とを混合させて成るもの（ＣＡモルタルともいう））を充填し、これを硬化させることで形成されている。充填孔（図示せず）は、その後上端まで充填材または別途封止材が注入されることで塞がれている。さらに凸部２８と切欠き部２６の間にも充填材が注入されている。
【０００５】
また充填層２２は、軌道スラブ２４をコンクリート路盤２０上の所定位置に持ち上げておき、この軌道スラブ２４とコンクリート路盤２０との間に生じた隙間内に、予めＣＡモルタルを注入した不織布などの袋状の袋体を配置させ、隙間内で固化させることにより形成される場合もある。
【０００６】
ところでこのようなスラブ式軌道１０の充填層２２は、例えば軌道レール３４の温度変化による伸縮や、軌道レール３４上を走行する車両によって加えられる力、充填層２２に滲み込んだ水により充填層２２のアルカリ成分が溶出し、充填層２２がポーラス化（多孔質化）することなどによって、次第に劣化する。特に、充填層２２に滲み込んだ水は、凍結融解を繰り返すことで充填層２２の劣化を進行させ、寒冷地ではその影響が顕著である。
【０００７】
このように充填層２２が劣化すると、劣化した充填層の露出部分から割れ，剥離，脱落などの不具合が生ずるため、劣化部分が確認された場合には早期の補修が求められる。
【０００８】
従来よりこのようなスラブ式軌道の補修方法として、充填層の劣化部分を削り取った後、削り取った箇所を取り囲むように型枠を配設し、型枠内にビニルエステル系樹脂などの補修材を充填して硬化させた後、型枠を撤去することで、充填層を補修するようにした補修方法（額縁補修方法ともいう）が提案されている（特許文献１）。
【０００９】
また別の補修方法として、充填層の劣化部分を削り取って空隙部を形成した後、この空隙部内へ袋状の袋体を装填し、この状態でこの袋体内へ補修用充填材を注入することで、空隙部を補修用充填材で埋め、劣化部分を補修するようにした補修方法（充填袋補修方法ともいう）が提案されている（特許文献２）。
【００１０】
なお、充填袋補修方法に用いられる袋体は、袋体の上下の面から補修用充填材が滲み出すようになっており、これにより袋体が対向する上下の面（軌道スラブとコンクリート路盤）と接着されるようになっている。
【先行技術文献】
【特許文献】
【００１１】
【特許文献１】特開２００８−５７３１８号公報
【特許文献２】特開２０１２−１８０６３４号公報
【発明の概要】
【発明が解決しようとする課題】
【００１２】
しかしながら、特許文献１に開示された補修方法（額縁補修方法）は、型枠の設置と撤去が必要であり、この作業に多くの時間と労力を要し効率的ではなかった。
【００１３】
しかも、この補修方法（額縁補修方法）では、補修材が型枠に付着しないよう、型枠の設置時に型枠と軌道スラブ側面との間に剥離シートを挟む必要もあり、剥離シートの設置や除去にも時間やコストを要するものであった。
【００１４】
また特許文献２に開示された補修方法（充填袋補修方法）は、空隙部内へ装填した袋体内へ注入した補修用充填材が硬化するまで待ち、さらにその後、袋体と空隙部との間に残った空間内に、補修用充填材を再度注入して硬化させる必要があり、補修用充填材の充填作業を少なくとも２回行う必要があり、充填作業だけで多くの時間を要するものであった。
【００１５】
さらに、この補修方法（充填袋補修方法）は、袋体に注入した補修用充填材が上下に滲み出した後、袋体の上面に隙間が生じやすく、その際には、再度補修が必要であった。また、袋体の上面の隙間から補修用充填材が外方に漏れ出す場合もあり、結果的に効率的ではないものであった。
【００１６】
また、袋体から滲み出した補修用充填材が少ない場合には、袋体の上面と軌道スラブ、袋体の下面とコンクリート路盤の摩擦抵抗が低くなり、装填した袋体自体が空隙部内にしっかりと留まらず、空隙部内から飛び出してしまうおそれもある。
【００１７】
ところで、スラブ式軌道の補修作業は、通常、車両が通らない深夜などに制約されて行われている。したがって、従来の額縁補修方法や充填袋補修方法のように、この制約された作業時間内に型枠などを作業現場まで搬入し、さらに撤去して搬出したり、さらには充填作業を少なくとも２回要したりするといった作業効率の悪さを改善した高効率な補修方法の出現が熱望されているのが実情である。
【００１８】
本発明はこのような実情に鑑みなされたものであり、補修用充填材を充填して充填層の補修を行うに際し、剥離シートを用いたり型枠を撤去する必要がなく、また補修用充填材を袋体に注入して硬化させたり、再度補修用充填材を注入する必要もなく、効率的に補修作業を行うことのできるスラブ式軌道の補修構造およびスラブ式軌道の補修方法を提供することを目的とする。
【課題を解決するための手段】
【００１９】
本発明は、前述したような従来技術における課題および目的を達成するために発明されたものであって、
本発明のスラブ式軌道の補修構造は、
少なくともコンクリート路盤と、軌道スラブとの間に、充填層が挟まれるようにして設けられ、さらに前記軌道スラブ上に軌道レールが配設されて成るスラブ式軌道の補修構造であって、
前記スラブ式軌道の補修構造は、
前記充填層の外周縁部の少なくとも一部に、埋め込み型枠を備えており、
前記埋め込み型枠内または埋め込み型枠よりも内方の領域内の少なくともいずれか一方には、補修用充填材を内包してなることを特徴とする。
【００２０】
また、本発明のスラブ式軌道の補修方法は、
少なくともコンクリート路盤上に充填層を介して軌道スラブが設けられ、さらに前記軌道スラブ上に軌道レールを配設して成るスラブ式軌道の補修方法であって、
前記スラブ式軌道の補修方法は、
前記充填層の劣化した部分を、露出された外周縁部から内方の所定深さまで除去し、前記軌道スラブとコンクリート路盤との間に空隙部を形成する工程と、
前記軌道スラブとコンクリート路盤との間に形成された空隙部の外周縁部の少なくとも一部内に、埋め込み型枠を配置する工程と、
前記空隙部の外周縁部の少なくとも一部内に配置された埋め込み型枠内または前記空隙部の外周縁部の少なくとも一部内に配置された埋め込み型枠によって前記空隙部内に区画された前記埋め込み型枠より内方の空間内の少なくともいずれか一方に、補修用充填材を注入する工程と、
前記注入された補修用充填材を硬化させる工程と、
を少なくとも有することを特徴とする。
【００２１】
このような補修構造および補修方法であれば、埋め込み型枠を空隙部内に配置させてから埋め込み型枠内または埋め込み型枠より内方の空間内の少なくともいずれか一方に、補修用充填材を注入するだけで良く、補修用充填材を硬化した後、埋め込み型枠を外す必要がなく、効率的にスラブ式軌道の補修を行うことができる。
【００２２】
また、本発明のスラブ式軌道の補修構造は、
前記埋め込み型枠が、
前記軌道スラブとコンクリート路盤との間に固着されて成ることを特徴とする。
【００２３】
このように埋め込み型枠が軌道スラブとコンクリート路盤との間に固着されていれば、埋め込み型枠が空隙部内から脱落するおそれが少なくなり好ましい。
【００２４】
また、本発明のスラブ式軌道の補修構造は、
前記埋め込み型枠が、伸縮性を有することを特徴とする。
【００２５】
このように伸縮性を有していれば、空隙部の厚みよりも厚い埋め込み型枠を用意し、これを伸縮させながら空隙部内に配置することで、空隙部内の埋め込み型枠がもとの大きさに復元する力が作用し、強固に空隙部内へ埋め込み型枠を留めることができる。またこのようにすれば、コンクリート路盤，軌道スラブと埋め込み型枠との、上下の隙間をなくすことができ、補修用充填材の充填時に補修用充填材が漏れ出すおそれもなく好ましい。
【００２６】
また、本発明のスラブ式軌道の補修構造は、
前記埋め込み型枠が、
発泡成形体，繊維をバインダーで固めた成形体，コルク，軟質プラスチック成形体からなる成形体のいずれかであることを特徴とする。
【００２７】
このような成形体であれば、埋め込み型枠に好適である。またこれらの成形体は空隙部に配置しやすく、さらに軽量であるため輸送面や取扱い面でも優れる。なお、これら成形体としては特に伸縮性を有することが好ましい。
【００２８】
また、本発明のスラブ式軌道の補修構造は、
前記発泡成形体が、発泡ポリウレタンからなることを特徴とする。
【００２９】
特に発泡ポリウレタンであれば、圧縮配置性、加工性、経済性の観点からより好ましい。
【００３０】
また、本発明のスラブ式軌道の補修構造は、
前記発泡成形体が、連続気泡型発泡体であることを特徴とする。
【００３１】
特に連続気泡型発泡体であれば、補修用充填材が浸透し易いため、埋め込み型枠と補修用充填材とが一体化し易く、より確実にスラブ式軌道を補修することができる。
【００３２】
また、本発明のスラブ式軌道の補修構造は、
前記埋め込み型枠，前記軌道スラブ，前記埋め込み型枠と軌道スラブとの間の少なくともいずれかには、
前記埋め込み型枠より内方の空間内に連通するエア抜き孔を有することを特徴とする。
【００３３】
このようにエア抜き孔を有していれば、空隙部内のエア抜きができ、補修用充填材を隙間なく充填させることができる。
【００３４】
また、本発明のスラブ式軌道の補修構造は、
前記補修用充填材が、合成樹脂を含有することを特徴とする。
【００３５】
このように補修用充填材が合成樹脂を含有していれば、充填性および硬化性の点からより好ましい。
【００３６】
また、本発明のスラブ式軌道の補修構造は、
前記補修用充填材が、多成分型であることを特徴とする。
【００３７】
このように補修用充填材が多成分型であれば、例えば補修用充填材の硬化時間，粘度，充填性などを現場の状態に合わせて適宜変更することができ好ましい。
【００３８】
また、本発明のスラブ式軌道の補修構造は、
前記充填層が、セメントアスファルトモルタルから成ることを特徴とする。
【００３９】
このようなセメントアスファルトモルタルは、スラブ式軌道を敷設した当初の材質であり、このような当初の状態から初めて補修する場合にも好適に用いることができる。
【００４０】
また、本発明のスラブ式軌道の補修構造は、
前記充填層が、セメントアスファルトモルタルおよび補修材から成ることを特徴とする。
【００４１】
このようなセメントアスファルトモルタルおよび補修材は、スラブ式軌道を敷設した当初の材質に加えて、例えば一度補修した際に、補修材として公知のものを用いたものであり、このような当初の状態から一度以上補修がなされた場合であっても、本発明の補修構造を好適に用いることができる。
【００４２】
なお補修材は、例えば上記した特許文献１に開示されたビニルエステル系樹脂などの充填剤や、ポリウレタン系樹脂補修材料，ＣＡモルタルなどの充填材、特許文献２に開示された補修用充填材が注入された袋体、もしくは注入された補修用充填材が周囲から滲み出してなる袋体など、公知の補修方法に用いられるものであれば如何なるものでも構わないものである。当然、補修材には、当初の充填層の材質と同様、セメントアスファルトモルタルも含まれるものである。
【００４３】
また、本発明のスラブ式軌道の補修構造は、
前記埋め込み型枠が、その外周側面に、バリア層を有することを特徴とする。
【００４４】
このように埋め込み型枠が、その外周側面にバリア層を有していれば、埋め込み型枠が紫外線により劣化することを防止でき、水等の浸入を防ぐことができ、耐候性を向上させることができる。なお、バリア層は、補修用充填材が滲み込んだ埋め込み型枠の硬化物自体のほか、埋め込み型枠から滲み出した補修用充填材や、埋め込み型枠の外表面に塗布された補充用充填材から構成されても良く、その他別途板状のバリア層を用意しておき、これを埋め込み型枠の外周側面に貼り付けるようにしても良いものである。
【００４５】
また、本発明のスラブ式軌道の補修方法は、
前記空隙部を形成する工程の後、
前記空隙部内を乾燥させる工程を有することを特徴とする。
【００４６】
このように空隙部内を乾燥させれば、劣化された部分が削り取られた充填層と補修用充填材との接着強度が向上し、確実にスラブ式軌道の補修を行うことができる。
【００４７】
また、本発明のスラブ式軌道の補修方法は、
前記補修用充填材を注入する工程において、
前記埋め込み型枠，埋め込み型枠と軌道スラブとの間，埋め込み型枠とコンクリート路盤との間，軌道スラブ，コンクリート路盤，埋め込み型枠と埋め込み型枠との間，埋め込み型枠と充填層との間からなる群より選ばれる少なくとも１か所に設けられた注入孔を介して前記補修用充填材が注入されることを特徴とする。
【００４８】
このような注入孔であれば、空隙部内に配置された埋め込み型枠内または空隙部内に配置された埋め込み型枠によって空隙部内に区画された埋め込み型枠より内方の空間内の少なくともいずれか一方へ、確実に補修用充填材を注入することができる。
【００４９】
また、本発明の埋め込み型枠は、
上記のいずれかに記載のスラブ式軌道の補修構造に用いられることを特徴とする。
【００５０】
このような埋め込み型枠であれば、空隙部を確実に塞いで補修用充填材を充填することができるため、作業効率が向上し、スラブ式軌道の補修構造に好適に用いることができる。
【発明の効果】
【００５１】
本発明のスラブ式軌道の補修構造およびスラブ式軌道の補修方法は、劣化した充填層を削り取って空隙部を形成し、この空隙部内に外側から埋め込み型枠を配置した後、埋め込み型枠内または埋め込み型枠より内方の空間内の少なくともいずれか一方に、補修用充填材を注入し、補修用充填材を硬化させるだけで良いため、従来よりも短時間で効率的に、劣化した充填層を確実に補修することができる。
【００５２】
また、従来工法（額縁補修方法）では必要とされた型枠の撤去が不要になり、補修作業の効率を向上させることができる。
【００５３】
さらに従来工法（充填袋補修方法）における、補修用充填材を袋体に注入するといった手間が省け、さらにその作業による補修用充填材の漏れのリスクを低減し作業能率を向上させることができる。
【００５４】
また、本発明の補修構造において、埋め込み型枠が軌道スラブとコンクリート路盤との間に固着されていれば、埋め込み型枠が空隙部内から脱落する恐れを少なくできる。
【００５５】
さらに埋め込み型枠が伸縮性を有すれば、空隙部へ外側から圧縮配置できるため、強固に空隙部内へ埋め込み型枠を留めることができる。
【００５６】
また、埋め込み型枠として発泡成形体，繊維をバインダーで固めた成形体，コルク，軟質プラスチック成形体からなる成形体のいずれかを用いる場合には、空隙部に容易に配置することが可能であり、一層作業効率を向上させることができる。また、軽量のため輸送面や取扱い面に優れる。
【図面の簡単な説明】
【００５７】
【図１】図１は、スラブ式軌道の構造を一部断面にして示した斜視図である。
【図２】図２は、スラブ式軌道の平面図であり、外周縁部から点線で示した箇所までが、充填層の劣化した部分が取り除かれてできた空隙部である。
【図３】図３は、劣化した充填層を取り除いた後の空隙部を示した平面図である。
【図４】図４（Ａ）は、劣化した充填層を取り除いた状態を示した部分断面図、図４（Ｂ）は、埋め込み型枠を配置した状態を示した部分断面図、図４（Ｃ）は、埋め込み型枠に注入孔を設けた状態を示した部分断面図である。
【図５】図５（Ａ）は、注入孔の代わりに充填孔を用いた状態を示した部分断面図、図５（Ｂ）は、補修用充填材の注入後の状態を示した部分断面図、図５（Ｃ）は、注入孔の後処理後の状態を示した部分断面図である。
【図６】図６は、本発明のスラブ式軌道の補修方法の作業工程図である。
【図７】図７は、空隙部内に埋め込み型枠を配置する直前の状態を示した斜視図である。
【図８】図８は、圧縮配置した埋め込み型枠と充填層との間に区画された埋め込み型枠より内方の空間内に補修用充填材を注入する状況を示した説明図である。
【図９】図９は、埋め込み型枠と軌道スラブとの間にエア抜き孔を設けた場合の部分断面図である。
【図１０】図１０は、空隙部内に、注入孔およびエア抜き孔を有する埋め込み型枠を配置した状態を示した説明図である。
【発明を実施するための形態】
【００５８】
以下、本発明の実施の形態について、図面に基づいてより詳細に説明する。
【００５９】
本発明のスラブ式軌道の補修構造およびスラブ式軌道の補修方法は、コンクリート路盤上に充填層を介して軌道スラブが設けられ、さらに軌道スラブ上に軌道レールを締結して成るスラブ式軌道において、充填層が劣化することによって生ずる割れ，剥離，脱落などを補修するためのものである。
【００６０】
＜スラブ式軌道１０＞
本発明の補修構造が施工されるスラブ式軌道１０は、図１に示したように、コンクリート路盤２０上に充填層２２を介して軌道スラブ２４が設けられ、さらにこの軌道スラブ２４上に一対の軌道レール３４，３４を配設して成るものである。
【００６１】
ここでコンクリート路盤２０には所定間隔毎に凸部２８が突設されている。一方、軌道スラブ２４の両端には、この凸部２８の間隔に対し、僅かに隙間を生ずるような位置に切欠き部２６，２６がそれぞれ設けられており、凸部２８と凸部２８との間に、両端部の切欠き部２６，２６がそれぞれ合うように位置決めされて軌道スラブ２４が配設されている。
【００６２】
また、軌道スラブ２４上には、一対の軌道レール３４，３４が敷設され、この軌道レール３４は、それぞれ複数の締結部材（図示せず）によって軌道スラブ２４に固定されている。
【００６３】
軌道スラブ２４とコンクリート路盤２０との間に設けられた充填層２２は、軌道レール３４の温度変化による伸縮応力や、列車の通過や遠心力による外力が加わり、また水分の侵入などにより劣化し、時間の経過とともに露出部分から割れ，剥離，脱落などが発生する。
【００６４】
このため、これらの症状が発生した場合、または所定期間が経過した場合などには、この充填層２２の補修が行われる。
【００６５】
なお本明細書中における充填層２２は、スラブ式軌道１０を最初に敷設した際に設けられたセメントアスファルトモルタルのみから成る層であることはもちろんであるが、このセメントアスファルトモルタルが袋体内に注入されてなる層であっても良いものである。
【００６６】
また、スラブ式軌道１０を既に補修して成る充填層２２であっても良いものである。すなわち、特許文献１に開示されたような空隙部を補修材で埋めた、セメントアスファルトモルタルと補修材からなる充填層２２や、特許文献２に開示されたような、空隙部を袋体内に補修材を注入して埋めた、同じくセメントアスファルトモルタルと補修材からなる充填層２２であっても良いものである。
【００６７】
ここで、補修材については公知の補修材の如何なるものにも限定されず、例えばスラブ式軌道１０を最初に敷設した際と同じ、セメントアスファルトモルタルであっても良いものである。
【００６８】
つまり、補修を必要としているコンクリート路盤２０と軌道スラブ２４の間の充填層２２について、特に材質が限定されるものではないものである。
【００６９】
本願発明は、このスラブ式軌道１０の補修構造および補修方法において、特に充填層２２の補修構造および補修方法に特徴を有するものであり、以下、この補修構造および補修方法ならびにこの補修構造に用いられる埋め込み型枠３２について説明する。
【００７０】
＜スラブ式軌道１０の補修構造＞
本発明のスラブ式軌道１０の補修構造は、まず充填層２２の外周縁部の少なくとも一部において、露出された外周縁部から内方の所定深さまで劣化された充填層２２が除去され、除去された箇所と軌道スラブ２４とコンクリート路盤２０との間によって、断面略コ字状の空隙部３０Ａ，３０Ｂを形成している（例えば図４（Ａ））。
【００７１】
そして、この空隙部３０Ａ，３０Ｂ内に、埋め込み型枠３２を備え（例えば図４（Ｂ））、この埋め込み型枠３２内または空隙部３０Ａ，３０Ｂ内の埋め込み型枠３２よりも内方の領域内の少なくともいずれか一方に、補修用充填材４２が充填され（例えば図５（Ｃ））、これにてスラブ式軌道１０の補修構造を構成している。
【００７２】
ここで埋め込み型枠３２は、伸縮性を有することが充填層２２の劣化部分が除去されてできた空隙部３０Ａ，３０Ｂ内へ配置しやすいため好ましく、例えばエラストマー等からなる発泡体やスポンジなどの発泡成形体，繊維をバインダーで固めた成形体，コルク，軟質プラスチック成形体から成る成形体のいずれかであることが好ましく、中でも発泡成形体がより好ましい。
【００７３】
埋め込み型枠３２が、発泡成形体，繊維をバインダーで固めた成形体，コルク，軟質プラスチック成形体から成る成形体のいずれかであれば、空隙部３０Ａ，３０Ｂに配置しやすいのに加え、軽量であるため、輸送面や取扱い面でも優れる。
【００７４】
なお、発泡成形体の具体例としては、例えば発泡ポリウレタン，発泡シリコーン，ゴムスポンジが好ましく、中でもハンドリング性（圧縮配置性、加工性）や経済性の点から、発泡ポリウレタンが好ましい。
【００７５】
また発泡成形体は、後述する補修用充填材４２の浸透性（滲み込み易さ）から、連続気泡型発泡体であることが好ましい。発泡成形体を連続気泡型発泡体とすることで、注入した補修用充填材４２が発泡成形体の内部にまで滲み込み、発泡成形体と注入した補修用充填材４２が一体化しやすくなる。一体化することにより、埋め込み型枠３２部分が強化され、一層劣化に強い補修が可能となる。
【００７６】
同時に、発泡成形体の内部まで滲み込んだ補修用充填材４２は、軌道スラブ２４面側やコンクリート路盤２０面側へも適量滲み出す場合があるため、この場合には、発泡成形体は補修用充填材４２の硬化に伴い、それらの面へ強固に固着する。
【００７７】
なお、埋め込み型枠３２として発泡成形体を用いない場合でも、補修用充填材４２を、埋め込み型枠３２と軌道スラブ２４との間や、埋め込み型枠３２とコンクリート路盤２０との間の、微少な隙間を通して充填することができる場合がある。この場合には、埋め込み型枠３２が軌道スラブ２４や、コンクリート路盤２０と固着される傾向にあるため好ましい。
【００７８】
さらに軟質プラスチック成形体の具体例としては、例えばＥＶＡ(エチレン酢酸ビニル共重合体)樹脂、低密度ポリエチレン(ＬＤＰＥ)、ポリプロピレン(ＰＰ)等のポリオレフィン、ポリエチレンテレフタレート(ＰＥＴ)、ナイロン、ポリスチレン(ＰＳ)、ポリウレタン、エラストマーから成る成形体を挙げることができる。
【００７９】
一方、補修用充填材４２としては公知のものであれば特に限定されるものではないが、好ましくは調製してなるものであることが好ましい。調製してなる補修用充填材４２としては、多成分型の補修用充填材４２が挙げられ、好ましくは２成分型の補修用充填材４２が挙げられる。
【００８０】
また、補修用充填材４２は充填後に硬化するものであれば良いが、合成樹脂を含有するものが充填性，硬化性の点から好ましい。
【００８１】
合成樹脂としては、ポリウレタン樹脂に限らず、ビニルエステル樹脂，ポリエステルアクリレート樹脂などのラジカル重合型樹脂，エポキシ樹脂などでも良いものである。
【００８２】
また、必要に応じ、合成樹脂を硬化させるために硬化剤や硬化促進剤を適量用いればよい。さらに、補修用充填材は、合成樹脂に体質顔料（シリカ，炭酸カルシウム等）や骨材（硅砂等）を配合させることが、補修用充填材硬化物の機械的強度、耐久性や経済性の面から好ましい。例えば、補修用充填材中に、体質顔料（シリカ，炭酸カルシウム等）であれば１０〜６０重量％、骨材（硅砂等）であれば２０〜８０重量％の割合で含有させればよい。
【００８３】
＜スラブ式軌道１０の補修方法＞
本発明のスラブ式軌道１０の補修方法について、図１〜図５に示した図面、および図６に示したフロー図面を用いて説明する。なお、図面によっては図１に示したスラブ式軌道１０の基本的な構造に記載の一部が開示されていないものもあるが、これは説明をより分かりやすくするために敢えて記載しなかったものであり、特に構造が限定されるものではないものである。
【００８４】
［軌道スラブ２４とコンクリート路盤２０との間に空隙部を形成する工程］
まず、本発明のスラブ式軌道１０の補修方法では、図２，図４（Ａ），図６に示したように、充填層２２の劣化した部分を、露出された外周縁部から内方の所定深さまで除去し、軌道スラブ２４とコンクリート路盤２０との間に空隙部３０Ａ，３０Ｂを形成する（図６  ステップＳ１００）。
【００８５】
基本的には、充填層２２の劣化した部分を全て削り取るものであり、軌道スラブ２４下の充填層２２の全てを削り取っても良いものである。充填層２２は、特に露出された外周から劣化が進み、特にその四隅で劣化が速い傾向にある。すなわち軌道スラブ２４の上面に加わるレール荷重による軌道スラブ２４の上下方向の荷重変化は四隅で特に大きくなるからである。
【００８６】
したがって、本実施形態のように充填層２２の四隅については、図２または図３に示したように、略三角形状の範囲とし、この範囲を削り取ることが好ましい。
【００８７】
四隅の具体的な削り量（ハツリ量）、すなわち空隙部３０Ａの寸法としては、現場で確認した際の劣化状況に応じて適宜設定すれば良いが、例えば図３に示したように、充填層２２の四隅を始点として凸部２８の形成方向（図３では上下方向）へ向かって約０．７ｍ、軌道レール３４の敷設方向（図３では左右方向）に向かって約０．５ｍ、となるような略直角三角形状に削り取るのが好ましい。
【００８８】
一方、充填層２２の四隅以外には、図２または図３に示したように、充填層２２の軌道レール３４の敷設方向（図３では左右方向）の側辺にも一定の深さで空隙部３０Ｂを形成する。これにより、充填層２２の外周に空隙部３０Ａ，３０Ｂが形成されることとなる。
【００８９】
なお、空隙部３０Ａ，３０Ｂを形成した後には、この空隙部３０Ａ，３０Ｂ内を清掃し乾燥することが好ましい。乾燥の手段としては特に限定されるものではないが、例えばガスバーナーを用いて乾燥すれば、作業時間を少なくでき好ましい（図６  ステップＳ１０１）。
【００９０】
また、充填層２２の再補修で、その充填層２２がセメントアスファルトモルタルおよび補修材からなる場合は、例えば、通常、補修材が外側へ露出しているので、先に補修材を適当な工具，機械などを用いて除去した後に、その奥の劣化したセメントアスファルトモルタルを前記同様の方法で除去すればよい。
【００９１】
［空隙部３０Ａ，３０Ｂ内に、埋め込み型枠を配置する工程］
空隙部３０Ａ，３０Ｂを形成した後、今度は図４（Ｂ）および図７に示したように、空隙部３０Ａ，３０Ｂ内に、埋め込み型枠３２を配置する（図７では、埋め込み型枠３２と空隙部３０Ａ，３０Ｂとの関係が分かりやすいよう、配置直前の状態を示している）。
【００９２】
埋め込み型枠３２の配置の際には、埋め込み型枠３２をそのまま空隙部３０Ａ，３０Ｂ内に配置しても良いが、例えば空隙部３０Ａ，３０Ｂ内の全ての内表面もしくは埋め込み型枠３２が設置される空隙部３０Ａ，３０Ｂ内の内表面のみにプライマー、補修用充填材や接着剤を塗布してから配置することで、軌道スラブ２４とコンクリート路盤２０との間に埋め込み型枠３２が固着されるようにしても良い。
【００９３】
なお、凸部２８の周囲には通常空隙部はないが、空隙部がある場合はここにも埋め込み型枠を配置すると良い。
【００９４】
このような埋め込み型枠３２は、図４（Ｂ）および図７に示したように、空隙部３０Ａ，３０Ｂの開口に沿って配置される（図６  ステップＳ１０２）。埋め込み型枠３２の高さ方向の寸法（厚み）は、少なくとも空隙部３０Ａ，３０Ｂの高さ方向の寸法と同じだけ、すなわち空隙部３０Ａ，３０Ｂを確実に塞ぐことができるだけの寸法（厚み）があれば良いが、圧縮して配置することができるよう、空隙部３０Ａ，３０Ｂの高さ方向の寸法よりも若干大きな寸法（厚み）とすることが好ましい。これにより、埋め込み型枠３２が配置場所から外に外れてしまう恐れが少なくなる。
【００９５】
なお、圧縮配置される埋め込み型枠３２は、適宜の長さに分割しておき、空隙部３０Ａ，３０Ｂの開口に沿って順次連結させるようにすることが好ましい。
【００９６】
埋め込み型枠３２としては、例えば、５，０００ｍｍ（長さ）×８０ｍｍ（高さ）×４０ｍｍ（幅）の寸法の埋め込み型枠３２が利用できる。一般的にコンクリート路盤２０と軌道スラブ２４との距離が６０ｍｍであるため、８０ｍｍの高さであれば、適度に圧縮配置ができる。補修場所によってはその前後の高さのものがあるので、その際は埋め込み型枠３２の高さを変更すればよい。
【００９７】
なお、５，０００ｍｍは、一般的な軌道スラブ２４の長尺方向の長さである。幅については、１５ｍｍ以上であれば、補修用充填材を注入した際に圧力がかかり、埋め込み型枠３２が配置場所から外に外れてしまう恐れが少ないため好ましい。
【００９８】
埋め込み型枠３２は、空隙部３０Ａ，３０Ｂの外周縁部付近に配置され、空隙部３０Ａ，３０Ｂ内に配置された埋め込み型枠３２によって空隙部３０Ａ，３０Ｂ内に空間が区画されるようにすることが空隙部３０Ａ，３０Ｂ内に注入できる補修用充填材の量が多くなるため好ましい。ただし、空隙部３０Ａ，３０Ｂ内をほぼ全て埋め尽くすように埋め込み型枠３２を配置しても技術上問題はないものであり、場合によってはこのような方法も選択可能なものである。
【００９９】
どちらの場合においても、埋め込み型枠３２が発泡成形体であれば、後述する補修用充填材を、埋め込み型枠３２内に浸透させることができるため、埋め込み型枠３２と補修用充填材とを一体化させることができる。
【０１００】
また埋め込み型枠３２は、外周側面に、バリア層（図示せず）を有していてもよい。このバリア層は、発泡成形体などからなる埋め込み型枠３２の少なくとも表面（付近）に存在する層のことをいい、埋め込み型枠３２内部に補修用充填材が滲み込んだ場合には、この補修用充填材が滲み込んだ埋め込み型枠３２の硬化物自体をバリア層という。
【０１０１】
このようなバリア層は、予め、補修用充填材を用いて板状のバリア層を貼り付けて成る埋め込み型枠３２を用いても良く、さらに配置された埋め込み型枠３２の露出された外表面に補修用充填材を塗布して形成しても良いものである。このようにすることにより埋め込み型枠３２の耐候性を向上させることができる。
【０１０２】
［補修用充填材を注入する工程］
空隙部３０Ａ，３０Ｂ内に埋め込み型枠３２を配置した後、埋め込み型枠３２内または埋め込み型枠３２によって空隙部３０Ａ，３０Ｂ内に区画された埋め込み型枠より内方の空間内の少なくともいずれか一方に、補修用充填材４２を注入する（図６  ステップＳ１０６）。
【０１０３】
補修用充填材４２としては上述したものを用いることができ特に限定されるものではないが、調製された補修用充填材４２を用いる場合、補修用充填材４２の調製は、例えば図８に示した充填装置４４で行う。
【０１０４】
この充填装置４４は主剤成分である第Ｉ液（図６  ステップＳ１０３）が入った気密収容タンク４６と、硬化剤成分である第ＩＩ液（図６  ステップＳ１０４）が入った気密収容タンク４８と、これらの気密収容タンク４６，４８に空気を送って加圧する圧送機器４９と、気密収容タンク４６，４８から送出される第Ｉ液および第ＩＩ液を混合するミキサ５０と、を有している。
【０１０５】
ここで、主剤成分である第Ｉ液，硬化剤成分である第ＩＩ液としては、出願人が販売する商品名「ＣＵＳ−ＲＥ２０  Ａ材（ポリウレタン樹脂系主剤），ＣＵＳ−ＲＥ２０  Ｂ材（ポリウレタン樹脂用硬化剤）」または「ＣＵＳ−ＵＢ２０  Ａ材（ポリウレタン樹脂系主剤），ＣＵＳ−ＵＢ  Ｂ材（ポリウレタン樹脂用硬化剤）」が好適である。
【０１０６】
ミキサ５０は、各気密収容タンク４６，４８から送られる第Ｉ液と第ＩＩ液とを混合（撹拌）し、混合物が注入パイプ５２から吐出される（図６  ステップＳ１０５）。このとき最終混合物の重量比で、第Ｉ液と第ＩＩ液の混合比が、約１００：２５となるように混合するのが好ましい。
【０１０７】
なおミキサ５０には、注入パイプ５２への混合液の流出を制御する手動式の開閉手段５４が取り付けられ、補修用充填材４２を注入パイプ５２から空隙部３０Ａ，３０Ｂ内に注入する時に、この開閉手段５４を操作して流路を開く。また圧送機器４９としては特に限定されないものであるが、例えばダイヤフラムポンプなどのポンプを用いることが好ましい。
【０１０８】
次にミキサ５０の注入パイプ５２を、図４（Ｃ）および図８に示したように、埋め込み型枠３２に注入孔部品３８を介して取り付けてある耐圧ホース４０に差し込んでしっかりと結合させ、補修用充填材を空隙部３０Ａ，３０Ｂ内に注入する（図６  ステップＳ１０６）。
【０１０９】
ここで空隙部３０Ａ，３０Ｂ内に補修用充填材を注入する際の注入孔は、例えば本実施例のように耐圧ホース４０と注入孔部品３８からなる孔でも良いが、単に埋め込み型枠３２に貫通形成された孔であっても良いものである。また、埋め込み型枠３２に注入孔を設ける場合は、分割された複数の埋め込み型枠間に、隙間を生じるようにしておき、この隙間を注入孔として利用しても良く、さらには埋め込み型枠３２と除去されずに残った充填層２２との間を注入孔として利用しても良いものである。
【０１１０】
また、空隙部３０Ａ，３０Ｂ内に埋め込み型枠３２を設置した際に、埋め込み型枠３２と軌道スラブ２４との間もしくは埋め込み型枠３２とコンクリート路盤２０との間に、隙間を生ずるようにしておき、この隙間を注入孔としても良いものである。
【０１１１】
すなわち開閉手段５４の閉開レバーを回動させて開閉手段５４の流路を開き、補修用充填材を注入パイプ５２から耐圧ホース４０、さらには注入孔部品３８を通じて、空隙部３０Ａ，３０Ｂ内に注入する。ここで注入孔部品３８としては、ホース用樹脂継手（タケノコジョイント）を用いることが好ましく、耐圧ホース４０としては、テトロンブレードホースを用いることが好ましい。
【０１１２】
これにより、埋め込み型枠３２内または埋め込み型枠３２によって空隙部３０Ａ，３０Ｂ内に区画された埋め込み型枠３２より内方の空間内の少なくともいずれか一方に補修用充填材が注入される。
【０１１３】
なお、上述した充填層２２に空隙部３０Ａ，３０Ｂを形成する工程において、図５（Ａ）に示したように、充填層２２の劣化した部分を除去した際、その深さが、軌道スラブ２４における充填孔５６の位置まで達している場合には、この充填孔５６内に装填された内容物を除去した後、この充填孔５６から補修用充填材を注入するようにしてもよい。すなわち、この場合には充填孔５６が注入孔としての役目をなす。
【０１１４】
また、注入の際において、埋め込み型枠３２によって空隙部３０Ａ，３０Ｂ内に区画された埋め込み型枠３２より内方の空間内に空気が残っていると、補修用充填材が満充填されないおそれがある。このため、埋め込み型枠３２，軌道スラブ２４，埋め込み型枠３２と軌道スラブ２４との間の少なくともいずれかには、空隙部３０Ａ，３０Ｂ内の埋め込み型枠３２より内方の空間内に連通するエア抜き孔６０を有することが好ましい。
【０１１５】
エア抜き孔６０は、例えば図９および図１０に示したように、埋め込み型枠３２を空隙部３０Ａ，３０Ｂ内に配置する際に、埋め込み型枠３２とともに設けることが好ましい。なお、エア抜き孔６０は、空隙部３０Ａ，３０Ｂ内からそれよりも高い位置に向かってエアが放出されるように設けることが好ましい。
【０１１６】
エア抜き孔６０を有する場合には、補修用充填材がエア抜き孔６０に到達するのを確認してから補修用充填材４２の注入を終了する。すなわち開閉手段５４で流路を閉じ、耐圧ホース４０を折り曲げてからクリップで挟み込み、注入パイプ５２と遮断し、それから注入パイプ５２を耐圧ホース４０から抜き、補修用充填材４２の注入を終える（図５（Ｂ））。
【０１１７】
なお、補修用充填材の注入後は、注入孔の後処理をすることが好ましく、この後処理としては、例えば、注入孔部品３８（通常、ＰＥ等のプラスチック製）は引張って取り外すか、補修用充填材４２の硬化後に端部をカッター等で切り取ればよい（図５（Ｃ））。
【０１１８】
［注入された補修用充填材を硬化させる工程］
注入された補修用充填材４２は、例えば、２３℃で２０〜３０分放置させ、硬化させる（図６  ステップＳ１０７）。
【０１１９】
なお、補修用充填材４２の硬化に伴い、エア抜き孔６０の液面が低下してきた場合には、エア抜き孔６０から補修用充填材４２を別途加えて液面を保つことが好ましい。
【０１２０】
そして、補修用充填材４２が硬化した後、周囲の片付け・清掃（図６  ステップＳ１０８）を終えれば、スラブ式軌道１０の充填層２２の補修が完了する。
【０１２１】
補修箇所が幾つかに分かれている場合には、この硬化させる工程の間に、他の補修箇所にも埋め込み型枠３２を配置し補修用充填材４２を注入し、同様に作業を行えば良い。
【０１２２】
以上、本発明のスラブ式軌道の補修構造およびスラブ式軌道の補修方法の好ましい形態について説明したが、本発明は上記の形態に限定されるものではなく、本発明の目的を逸脱しない範囲で種々の変更が可能なものである。
【符号の説明】
【０１２３】
１０    スラブ式軌道
２０    コンクリート路盤
２２    充填層
２４    軌道スラブ
２６    切欠き部
２８    凸部
３０Ａ  空隙部
３０Ｂ  空隙部
３２    埋め込み型枠
３４    軌道レール
３８    注入孔部品
４０    耐圧ホース
４２    補修用充填材
４４    充填装置
４６    気密収容タンク
４８    気密収容タンク
４９    圧送機器
５０    ミキサ
５２    注入パイプ
５４    開閉手段
５６    充填孔
６０    エア抜き孔
【図１】
0006411290.tif 000002
【図２】
0006411290.tif 000003
【図３】
0006411290.tif 000004
【図４】
0006411290.tif 000005
【図５】
0006411290.tif 000006
【図６】
0006411290.tif 000007
【図７】
0006411290.tif 000008
【図８】
0006411290.tif 000009
【図９】
0006411290.tif 000010
【図１０】
0006411290.tif 000011